(57)【要約】【課題】内部時計を有し、発生したイベントを発生時刻とともに記憶する機能を備えたインターホン親機に関し、特に内部時計が補正された場合にも、履歴情報として記録すべきイベント発生時刻に時系列的な逆転を生じさせないようにする。【解決手段】基準時計を備えた外部機器から定期的に基準時刻情報を受信して内部時刻情報を補正するとともに、そのときの内部時刻情報を一時的に記憶する内部時計補正手段１０と、発生したイベントを発生時刻とともに履歴として蓄積する記憶手段１２とを備え、内部時計補正手段１０は、イベントが発生する毎に、一時的に記憶している補正直前の内部時刻情報を参照し、補正直前の内部時刻よりも、内部時計１０Ｂの現在時刻のほうが遅れている場合には、一時的に記憶している補正直前の内部時刻情報に基づいた時刻情報を、発生したイベントに対応付けて記憶手段１２に記憶させる。【選択図】図１
2008211320.tif 000002
【特許請求の範囲】
【請求項１】
内部時刻を計時する内部時計を有し、発生したイベントをその内部時刻に対応付けて記憶するインターホン親機において、
基準時計を備えた外部機器から定期的に基準時刻情報を受信して内部時刻情報を補正するとともに、そのときの内部時刻情報を一時的に記憶する内部時計補正手段と、
発生したイベントを発生時刻とともに履歴として蓄積する記憶手段とを備え、
前記内部時計補正手段は、
前記イベントが発生する毎に、一時的に記憶している補正直前の内部時刻情報を参照し、補正直前の内部時刻よりも、前記内部時計の現在時刻のほうが遅れている場合には、一時的に記憶している補正直前の内部時刻情報に基づいた時刻情報を、発生したイベントに対応付けて前記記憶手段に記憶させることを特徴とする、インターホン親機。
【請求項２】
請求項１において、
前記記憶手段に蓄積しているイベントを発生順に並べて表示する表示手段を更に備えていることを特徴とする、インターホン親機。
【請求項３】
請求項１または２に記載のインターホン親機と、
請求項１または２に記載の外部機器として、警報監視盤またはロビーインターホンとを組み合わせて構成していることを特徴とする、集合住宅用インターホンシステム。
【発明の詳細な説明】
【技術分野】
【０００１】
本発明は、内部時計を有し、発生したイベントを発生時刻とともに記憶する機能を備えたインターホン親機に関し、特に内部時計が補正された場合にも、履歴情報として記録すべきイベント発生時刻に時系列的な逆転を生じさせないようにしたインターホン親機、および、このインターホン親機を使用して構成した集合住宅用インターホンシステムに関する。
【背景技術】
【０００２】
この種のインターホン親機としては、従来から、特許文献１に示すような集合住宅用インターホンシステムが提案されている。
【０００３】
この集合住宅用インターホンシステムは、共同玄関に設置したロビーインターホンと、管理人室に設置した警報監視盤と、ドアホン子器が接続され、各住戸に設置したインターホン親機とを組み合わせて構成されている。
【０００４】
各住戸に設置したインターホン親機は、在宅モードと不在モードとが住人の操作により予め設定することができ、在宅モードの場合には、ロビーインターホン、警報監視盤、ドアホン子器の各々から呼出があると、住人の呼出を行い、住人が応答すれば、両者で通話ができる。
【０００５】
一方、不在モードの場合には、ロビーインターホン、警報監視盤、ドアホン子器の各々から呼出があると、以下のように動作する。すなわち、ロビーインターホン、ドアホン子器の各々から呼出があると、来客映像と音声メッセージを受付けて、送出されてきた来客映像と音声メッセージとを履歴として記録しておき、帰宅した住人が後に確認できる。
【０００６】
また、不在モードの場合に警報監視盤から呼出があると、音声メッセージを受付け、送出されてきた音声メッセージを履歴として記録しておき、帰宅した住人が後に確認できる。
【０００７】
インターホン親機は、内部時刻を計時する内部時計を有しており、来客映像と音声メッセージが送出されてきたときには（以下、イベントの発生と呼ぶ）、そのときの時刻を、タイムスタンプとして対応付けて記録でき、内部時計は、定期的に、基準時刻を計時する外部機器に基準時刻情報を要求して、その基準時刻情報を受けて補正する機能を備えている。
【０００８】
このような内部時計を補正する機能を備えたインターホン親機は、下記特許文献２にも提案されており、警報監視盤、ゲートウェイを介して、外部機器であるＮＴＰサーバから基準時刻情報を受信し、受信した基準時刻情報によって内部時刻情報を補正する住宅情報盤が開示されている。
【特許文献１】特許第２７１７２５９号公報
【特許文献２】特開２００３−３０９６６２号公報
【発明の開示】
【発明が解決しようとする課題】
【０００９】
しかしながら、上記した従来のシステムでは、インターホン親機は、内部時刻が基準時刻よりも進んでいた場合に、補正によって内部時刻情報を基準時刻情報に合わせて遅らせると、補正後に発生したイベントに対応付けるべきタイムスタンプ時刻が、補正前に発生したイベントに対応付けて、すでに記憶しているタイムスタンプ時刻よりも遅れてしまうことがあった。
【００１０】
たとえば、図３を用いて説明すると、補正前の内部時刻が１１：０２であるときにイベント１が発生した場合には、イベント１に対応するタイムスタンプ時刻は１１：０２であるが、その後、内部時刻が１１：０３のときに基準時刻１１：００に合わせる補正をしたような場合、その後、内部時刻が１１：０１になっているときにイベント２が発生した場合には、イベント２に対応するタイムスタンプ時刻は１１：０１となり、補正後に発生したイベント２のタイムスタンプ時刻と、補正前に発生し、既に記憶しているイベント１のタイムスタンプ時刻とが逆転してしまう。
【００１１】
本発明は、このような事情を考慮して提案されるものであり、内部時刻情報を基準時刻情報に合わせて時刻補正を行なった場合にも、記憶すべきイベントのタイムスタンプ時刻に時系列的な逆転を生じさせないようにしたインターホン親機、これを使用して構成した集合住宅用インターホンシステムを提供することを目的とする。
【課題を解決するための手段】
【００１２】
上記目的を達成するために、本発明の請求項１に記載のインターホン親機では、基準時計を備えた外部機器から定期的に基準時刻情報を受信して内部時刻情報を補正するとともに、そのときの内部時刻情報を一時的に記憶する内部時計補正手段と、発生したイベントを発生時刻とともに履歴として蓄積する記憶手段とを備え、前記内部時計補正手段は、前記イベントが発生する毎に、一時的に記憶している補正直前の内部時刻情報を参照し、補正直前の内部時刻よりも、前記内部時計の現在時刻のほうが遅れている場合には、一時的に記憶している補正直前の内部時刻情報に基づいた時刻情報を、発生したイベントに対応付けて前記記憶手段に記憶させることを特徴とする。
【００１３】
請求項２に記載のインターホン親機では、前記記憶手段に蓄積しているイベントを発生順に並べて表示する表示手段を更に備えていることを特徴とする。
【００１４】
請求項３に記載の集合住宅用インターホンシステムでは、請求項１または２に記載のインターホン親機と、請求項１または２に記載の外部機器として、警報監視盤またはロビーインターホンとを組み合わせて構成していることを特徴とする。
【発明の効果】
【００１５】
本発明の請求項１に記載のインターホン親機によれば、イベントが発生する毎に、一時的に記憶している補正直前の内部時刻を参照し、一時的に記憶している補正直前の内部時刻よりも、内部時計の現在時刻のほうが遅れている場合には、一時的に記憶している補正直前の内部時刻情報に基づいた時刻情報を、発生したイベントに対応付けて記憶手段に記憶させるので、履歴情報として記録すべきイベント発生時刻に時系列的な逆転を生じさせることがない。
【００１６】
請求項２に記載のインターホン親機によれば、記憶手段に蓄積しているイベントを発生順に並べて表示するので、イベントの発生を時系列的に把握できる。
【００１７】
請求項３に記載の集合住宅用インターホンシステムによれば、住戸のインターホン親機にイベント履歴が時系列的に逆転して記憶される不具合が解消できる。
【発明を実施するための最良の形態】
【００１８】
以下に、本発明の実施の形態について説明する。
【００１９】
図５は、本発明のインターホン親機を集合住宅用インターホンシステムに適用したシステムの系統図である。本実施例では、外部機器を管理人室などに設置した警報監視盤３で構成している。
【００２０】
集合住宅用インターホンシステムは、管理人室などに設置した警報監視盤３から信号線Ｌ１、通話線Ｌ２を導出させ、これらの信号線Ｌ１、通話線Ｌ２には、ドアホン子器２を接続したインターホン親機１と、共同玄関などに設置したロビーインターホン４とを接続している。
【００２１】
このような構成の集合住宅用インターホンシステムでは、インターホン親機１が在宅モード、不在モードのいずれを実行しているかにより、以下の異なる基本動作を行なう。
【００２２】
すなわち、インターホン親機１が在宅モードを実行しているときには、インターホン親機１は、ロビーインターホン４、警報監視盤３、ドアホン子器２の各々から呼出があると、住人の呼出を行い、住人が応答すれば、両者で通話ができる。
【００２３】
一方、インターホン親機１が不在モードを実行しているときには、ロビーインターホン４、警報監視盤３、ドアホン子器２の各々から呼出があると、以下のように動作する。
すなわち、ロビーインターホン４、ドアホン子器２の各々から呼出があると、来客映像と音声メッセージの受付け、送出されてきた来客映像と音声メッセージとを、そのときの内部時刻情報をタイムスタンプ時刻として関連付けて記録するので、帰宅した住人が後に確認できる。
【００２４】
また、不在モードの場合に警報監視盤３から呼出があると、音声メッセージを受付け、送出されてきた音声メッセージを、そのときの内部時刻情報をタイムスタンプ時刻に関連付けて記録するので、帰宅した住人が後に確認できる。なお、内部時刻情報とは、インターホン親機１の内部時計が計時している時刻のことをいう。
【００２５】
図４は、外部機器としての警報監視盤の基本構成の一例を示すブロック図である。この例では、基準時刻を計時する基準時計を備えた外部機器として説明しているが、ロビーインターホン４で構成してもよい。
【００２６】
この警報監視盤３は、ＣＰＵなどで構成され、以下の各部を制御する制御部３０、信号線Ｌ１を通じて信号の送受を行なう信号送受信部３１、基準時刻を計時する基準時計３２、スイッチ入力部３３を備え、各種スイッチなどで構成される操作スイッチ部３４、図示しない各住戸のセキュリティセンサが発報したことをインターホン親機１から通知された場合に鳴動させるべき警報音声を生成する警報音声生成部３５、表示部３６、通話線Ｌ２を通じた通話を行なうための通話部３７、制御プログラムなどを記憶した記憶部３８を備える。
【００２７】
図１は、本発明のインターホン親機の基本構成の一例を示すブロック図、図２は、本発明のインターホン親機の基本動作である、イベント履歴記憶処理の一例を示すフローチャートである。図３は、イベント履歴記憶処理の基本動作をタイムチャートで示すものである。
【００２８】
インターホン親機１は、図１に示すように、ＣＰＵなどで構成され、内部時刻を計時する内部時計１０Ｂを有する制御部１０Ａで構成され、後述するイベント履歴記憶処理（図２参照）を行なう内部時計補正手段１０、信号線Ｌ１を通じた信号の送受を行なうための伝送送受信部１１、記憶手段を構成する記憶部１２、スイッチ入力部１３を有し各種スイッチなどで構成される操作スイッチ部１４、通話線Ｌ２が接続され、通話線Ｌ２の接続を通話処理部１６側とドアホン子器２側のいずれかに切り換える通話路切換部１５、マイクロホンＭＩとスピーカＳＰとを使用した信号線Ｌ２を通じた通話を行なうための通話処理部１６、図示しないセキュリティセンサの発報時に鳴動させる報知音を生成する報知音生成部１７、映像信号を処理して、表示手段を構成する表示部１９に映像として表示させる映像処理部１８、表示部１９を備える。
【００２９】
制御部１０Ａが有する内部時計１０Ｂは、ＣＰＵの動作クロックに基づいて内部時刻を計時しており、定期的に警報監視盤３にアクセスし、基準時刻情報を参照して、内部時刻情報を基準時刻情報に合わせる補正を行なう。
【００３０】
また、制御部１０Ａは、在宅モードと不在モードとを操作スイッチ部１４の入力操作により切り換えるようにしている。在宅モードでは、ドアホン子器２、警報監視盤３、ロビーインターホン４からの呼出に対して報知音を鳴動させ、応答操作により、これらの機器との通話を可能にし、
不在モードでは、ドアホン子器２、警報監視盤３、ロビーインターホン４からの呼出に対して、来客映像や音声メッセージを受け付けて、そのときの内部時刻情報をタイムスタンプ時刻として対応付けて記憶部１２に記録する。
【００３１】
記憶部１２には、信号線Ｌ１を通じて受信した来客映像や音声メッセージが、そのときの内部時刻情報を対応付けて記録されるようになっており、そのような処理は不在モードを実行中の制御部１０Ａによって行われる。
【００３２】
通話路切換部１５は、通話の相手先が、ドアホン子器２か、通話線Ｌ２に接続される警報監視盤３、ロビーインターホン４かに応じて、公知の手法で、通話処理部１６の接続先を、ドアホン子器２側か、通話線Ｌ２側のいずれかに切り換える。
【００３３】
このような構成のインターホン親機１は、不在モードの実行中に、ドアホン子器２、警報監視盤３、ロビーインターホン４のいずれかから、来客映像や音声メッセージが送出されてきたときには、これをイベントとして内部時刻情報を関連付けて記録するイベント履歴記憶処理を行う。
【００３４】
このようなイベント履歴記憶処理について、図２のフローチャート（１００〜１１０）とともに説明する。
【００３５】
すなわち、インターホン親機１では、内部時計補正手段１０は、基準時刻参照タイミングが到来する毎に、警報監視盤３をアクセスして基準時刻情報を参照し、そのときの内部時刻情報を一時的に記憶し、その後、内部時刻情報を基準時刻情報に合わせる補正を行う（１００〜１０３）。
【００３６】
内部時計補正手段１０は、イベントが発生したときには、そのときの内部時刻、つまり内部時計の現在時刻と、ステップ１０２で一時的に記憶した内部時刻、つまり、補正直前の内部時刻とを比較し、内部時計の現在時刻が補正直前の内部時刻より遅れているか否かを判定する（１０４〜１０７）。
【００３７】
判定の結果、内部時計の現在時刻が補正直前の内部時刻よりも遅れている場合には、発生したイベントに、内部時計補正手段１０が一時的に記憶している時刻、つまり補正直前の内部時計の現在時刻を関連付けて、記憶部１２にイベント履歴として記憶させる一方、遅れていない場合には、発生したイベントに、補正された内部時計の現在時刻を関連付けて記憶部１２にイベント履歴として記憶させる（１０７〜１１０）。
【００３８】
このようなイベント履歴記憶処理を、図３のタイムチャートとともに更に具体的に説明する。
【００３９】
すなわち、内部時計補正手段１０は、基準時刻参照タイミング（１１：０３）が到来したときに、基準時刻を参照して、内部時刻情報を基準時刻情報に合わせる補正をしている（補正後の内部時刻情報は１１：００）。
【００４０】
その後、内部時刻１１：０１にイベント２が発生したとする。その場合、補正直前の内部時刻情報は１１：０３分であるため、現在の内部時刻１１：０１は、補正直前の内部時刻１１：０３よりも遅れているため、イベント２のタイムスタンプ時刻を補正直前の内部時刻１１：０３に関連付けている。
【００４１】
このように、イベントが発生したときの内部時刻情報が、補正直前の内部時刻情報よりも遅れている場合には、補正直前の内部時刻情報をタイムスタンプ時刻として関連付けるため、イベント１，２のそれぞれのタイムスタンプ時刻が時系列的に設定でき、逆転することを防止できる。
【００４２】
また、このようなイベント履歴記憶処理では、記憶部１２にはイベントを発生順に並べて記憶させるようにしており、制御部１０Ａは、所定の再生操作がされた場合には、記憶部１２に蓄積しているイベントを発生順に並べて表示部１９に表示させる。そのため、補正直前の内部時刻情報がタイムスタンプ時刻として付記されたイベントが複数個あるような場合でも、住人はこれらのイベントの発生順を容易に確認することができ、利便にできる。
【図面の簡単な説明】
【００４３】
【図１】本発明のインターホン親機の基本構成の一例を示すブロック図
【図２】本発明におけるイベント履歴記憶処理の基本動作の一例を示すフローチャート
【図３】本発明におけるイベント履歴記憶処理の基本動作の一例を示すタイムチャート
【図４】外部機器としての警報監視盤の基本構成の一例を示すブロック図
【図５】本発明を適用した集合住宅用インターホンシステムの一例を示すシステム系統図
【符号の説明】
【００４４】
１  インターホン親機
１０  内部時計補正手段
１０Ｂ  内部時計
１２  記憶部
１９  表示部
３  警報監視盤（外部機器）
３２  基準時計
４  ロビーインターホン
【図１】
2008211320.tif 000003
【図２】
2008211320.tif 000004
【図３】
2008211320.tif 000005
【図４】
2008211320.tif 000006
【図５】
2008211320.tif 000007